(57)【特許請求の範囲】
【請求項１】
受信信号を選局するチューナー部と、前記チューナー部で選局された信号を復調して受信ＣＮ比を検出する復調部と、前記チューナー部及び前記復調部を制御して複数の受信信号周波数の選局と受信ＣＮ比の検出を行い、検出された前記複数の受信信号周波数の受信ＣＮ比を一つの画面に表示させる演算部を備え、
前記演算部は、自動あるいは手動の選択が可能で、自動が選択されたときは複数の受信信号周波数を所定の時間間隔で選局し、手動が選択されたときはユーザーが前記画面上で指定した受信周波数を選局することを特徴とするデジタル放送受信装置。
【発明の詳細な説明】
【技術分野】
【０００１】
本発明は、デジタル放送に用いる受信装置（国際特許分類  Ｈ０４Ｎ１７／００）に関するものである。
【背景技術】
【０００２】
一般にデジタル放送は、例えば衛星放送の場合、静止衛星の中継器（トランスポンダ）ごとに異なる複数の周波数帯域を有する信号から構成されている。また、従来の衛星デジタル放送受信装置では、受信アンテナの設置調整等のために、初期設定されているあるいはユーザーが選択した特定の受信信号周波数におけるＣＮ比等の信号品質を所定のレベル値として表示する機能が設けられている。
【０００３】
以上の機能を果たす従来のデジタル放送受信装置について、受信信号レベルの表示方法について以下に説明する。
【０００４】
図７に一般的なデジタル放送受信装置の回路ブロック図を示す。また、図８は従来の信号レベルの表示におけるフローチャートを表す。図８より、信号レベルの表示は以下のような順序で行われている。受信アンテナ７１からの信号は、チューナー部７２で選局され、復調部７３で該信号のＣＮ比の検出を行った後、データとして演算部７４に送られる。演算部では予め定められた換算に基づき、該データを信号レベルに変換を行い、表示装置７５に出力表示させる。また、信号レベルは予め設定されている時間間隔でＣＮ比を再度検出し、該値が更新されるようになっている。また、受信信号レベルは受信装置に具備されているボタンあるいは付帯のリモコン操作により、受信信号周波数を設定できる画面（受信設定画面）が表示される。図９は受信設定画面の例であり、９１は受信する放送サービス、９２はトランスポンダ番号、９３は受信信号周波数（トランスポンダの中心周波数）、９５は信号レベルを表す。この画面において、受信信号周波数の選択を行い、指定周波数における信号レベルを取得および表示するようになっている。
【発明の開示】
【発明が解決しようとする課題】
【０００５】
しかしながら上記従来例では、該機能の役割が主に受信アンテナの設置調整を目的とするため、いずれかの受信信号周波数に対するレベルだけ表示すれば目的を達成できた。しかし、例えばＢＳと同一の静止軌道（東経１１０度）でＢＳと異なる周波数帯域を利用して新たに放送サービスを行うＣＳ（１１０度ＣＳ）を同時に受信する衛星受信用アンテナと伝送系から成る受信システムにおいては、既存の該システムがそれに対応しているか否かが未知である場合、信号周波数間の相違を調べる必要が生じる。その際、従来のデジタル放送受信装置では、受信信号周波数あるいはチャンネル切換等の操作を何回も行い、各信号周波数ごとにレベルを表示させなければならないため、時間的、労力的にも非常に困難を来す。
【課題を解決するための手段】
【０００６】
この目的を達成するために本発明のデジタル放送受信装置は、受信信号を選局するチューナー部と、チューナー部で選局された信号を復調して受信ＣＮ比を検出する復調部と、チューナー部及び復調部を制御して複数の受信信号周波数の選局と受信ＣＮ比の検出を行い、検出された複数の受信信号周波数の受信ＣＮ比を一つの画面に表示させる演算部を備え、演算部は、自動あるいは手動の選択が可能で、自動が選択されたときは複数の受信信号周波数を所定の時間間隔で選局し、手動が選択されたときはユーザーが画面上で指定した受信周波数を選局することを特徴とする。
【０００７】
この構成によって、受信周波数帯域内の複数の受信信号を同一画面上に表示させることにより、チャンネルを切り換えるのに要する時間及び労力を削減し、容易に受信システムの適合性を判断する目安として用いることができる。
【発明の効果】
【０００８】
本発明によれば、受信アンテナの設置に主に用いられていた信号レベル表示機能を単一の周波数信号に対する表示から複数の信号レベルを表示させる機能を搭載することにより、受信アンテナと受信装置を結ぶ伝送システムの特性を確認することができ、さらに、同一画面上にグラフィック化して表示させることによりユーザーが即座に認識可能とせしめる効果を有する。これにより、家庭、ビル内における既設の同軸ケーブル、分配器、ブースター等で構成される伝送システムが所望の放送サービスに対応しているか否かを特殊な計測器を用いずに、容易に判断することができるという優れた効果が得られる。
【発明を実施するための最良の形態】
【００１２】
以下、本発明の実施の形態について図を用いて説明する。
【００１３】
（実施の形態１）
図１は本発明の実施の形態１におけるデジタル放送受信装置の信号レベル表示のフローチャートを表す。以下該フローチャートに沿って説明する。
【００１４】
特定の１つのチャンネルが受信状態にある時、信号は図７に示すデジタル放送受信装置おいて、チューナー部７２で選局され、復調部７３での復調および受信ＣＮ比の検出が演算部７４の制御により行われる。その後、復調部の出力データを該演算部７４に取得し、予め定められた換算式に基づき信号レベルとして変換される。この時の受信状態は受信装置の操作により、図９のような受信設定画面で１つの受信チャンネルの状態を確認することができる。
【００１５】
この設定画面中に例えば受信状況選択セル９４のようなボタン（セル）を設け、選択した場合、図２に示すような受信状況画面に切り換わり、受信信号周波数を一定の順序に従って自動的に所定の時間間隔で切り換えを行い、受信可能なすべてのチャンネルについて周波数走査を繰り返す制御を行う。これにより、各受信チャンネルに対する信号レベル２１を前記演算処理により、グラフ化あるいは該グラフに数値を伴って随時表示させる。この演算処理は該受信状況画面を閉じるまで行われ、該画面を閉じた後は、元の受信設定画面９０に戻り、所定の信号周波数を再度選局し、信号レベルを表示する。
【００１６】
ここで、信号レベルの値は、受信設定画面においてはチューナー部の同期確立後、一定時間で１つのチャンネルについてのみ随時更新されるのに対し、受信状況画面でのレベル値は一旦取得した値を保持し、すべてのチャンネルを一定周期で走査した後、随時更新されるように演算部は予めプログラムされている。
【００１７】
以上のように、複数チャンネルについての信号レベルを同一画面上に表示することができるため、様々な伝送機器から構成される伝送システムの周波数特性を確認することができる。その結果、既存の伝送システムが放送サービスを受信するのに適切なシステムであるか否かを特別な計測器を用いずに判断することがきるという効果がある。
【００１８】
（実施の形態２）
本発明の実施の形態２は、実施の形態１の機能に加えて、複数のチャンネルに対する信号レベルの中で、ユーザーが特定チャンネルを指定する機能を追加したものである。具体的には、既に取得した複数のチャンネルの信号レベルは保持したままで、ユーザーが指定したチャンネルについてだけ一定時間でレベル値を随時更新することができる機能である。図３に本機能を加えた場合のフローチャートを表し、図２に示す受信状況画面を用いて説明する。
【００１９】
「自動／手動」切換セル２２を選択し、手動モードに切り換えた場合、チャンネル番号を囲むチャンネルマーカー２３が現れ、ユーザーは特定チャンネルにカーソルを移動させて指定することができる。また、再度「自動／手動」切換セルを選択すると元のチャンネルに自動的に切り換え、レベル値を取得更新する自動表示モードに切り換えることができる。これにより、受信設定画面に戻らなくても、１つのチャンネルに固定して、信号レベルの確認ができるため、受信アンテナの設置調整あるいは電波障害時の確認等に用いることができるといった効果がある。
【００２０】
（実施の形態３）
本発明の実施の形態３は、放送サービス（ネットワーク）ごとに信号レベルを同一画面上に区分して表示する機能である。例えば、図９の受信設定画面の受信状況選択セル９４を選択すると、図４に示すネットワーク選択画面が表示され、表示させたいネットワーク選択セル４１を選択すると図５に示すような選択されたネットワークにおける信号レベルが表示される。
【００２１】
あるいは他の手段として、図９の受信設定画面の受信状況選択セル９４を選択すると、複数のネットワークについてすべての信号レベルが表示される。図６はその場合の受信状況画面の一例であり、この画面中のネットワークをカーソルにより選択すると、前記と同様に、図５のように１つのネットワークについての信号レベルを表示する受信状況画面となる。
【００２２】
これにより、複数のネットワークが受信可能な受信システム環境下にある場合、一度に複数の信号レベルが確認できると共に、ネットワーク選択が可能となるため、さらにレベル値の確認を容易にすることができる効果がある。
【００２３】
以上、本発明の実施の形態における機能は、本デジタル放送受信装置に内蔵されているメモリーに所定のプログラムが書き込まれ、演算部を介して実現されるものである。また、画面表示あるいは選択は受信装置のハードキーあるいは付帯のリモコンにより操作を行うことができる。
【産業上の利用可能性】
【００２４】
本発明にかかるデジタル受信装置は、家庭、ビル内における既設の同軸ケーブル、分配器、ブースター等で構成される伝送システムが所望の放送サービスに対応しているか否かを特殊な計測器を用いずに、容易に判断することができるデジタル放送に用いる受信装置等において有用である。
【図面の簡単な説明】
【００２５】
【図１】本発明実施の形態１における信号レベル表示のフローチャート
【図２】本発明実施の形態１における受信状況画面を示す図
【図３】本発明実施の形態２における信号レベル表示のフローチャート
【図４】本発明実施の形態３におけるネットワーク選択画面を示す図
【図５】本発明実施の形態３における受信状況画面を示す図
【図６】本発明実施の形態３における他の受信状況画面を示す図
【図７】デジタル放送受信装置のブロック図
【図８】従来例における信号レベル表示のフローチャート
【図９】従来例における信号レベルの受信設定画面を示す図
【符号の説明】
【００２６】
２１    信号レベル
２２    手動／自動切換セル
２３    チャンネルマーカー
４１    ネットワーク選択セル
７１    受信アンテナ
７２    チューナー部
７３    復調部
７４    演算部
７５    表示装置
７６    メモリー
９０    受信設定画面
９１    放送サービス（ネットワーク）
９２    受信チャンネル
９３    信号周波数
９４    受信状況選択セル
９５    信号レベル
【図１】
0004420044.tif 000002
【図２】
0004420044.tif 000003
【図３】
0004420044.tif 000004
【図４】
0004420044.tif 000005
【図５】
0004420044.tif 000006
【図６】
0004420044.tif 000007
【図７】
0004420044.tif 000008
【図８】
0004420044.tif 000009
【図９】
0004420044.tif 000010